【事件の表示】
　特願２０１３−１３１２１７「アイアン型ゴルフクラブ」拒絶査定不服審判事件〔平成２６年　１月１６日出願公開、特開２０１４−　　４３６７、請求項の数（１）〕について、次のとおり審決する。
【結　論】
　原査定を取り消す。
　本願の発明は、特許すべきものとする。
【理　由】
第１　手続の経緯 
　本願は、平成２５年６月２４日（パリ条約による優先権主張　２０１２年６月２５日、米国）に出願された特許法第３６条の２第１項の規定による特許出願であって、原審において、平成２５年９月１９日付けで手続補正がされ、平成２６年１２月４日付けで拒絶理由が通知され、平成２７年３月１６日付けで手続補正がされ、同年９月１０日付けで拒絶査定（以下「原査定」という。原査定の謄本の送達（発送）日　同月１５日。）がされ、これに対して、平成２８年１月９日に拒絶査定不服審判の請求がされると同時に手続補正書が提出されて特許請求の範囲及び図面を補正する手続補正がなされ、その後、当審において平成２９年２月２８日付けで拒絶理由が通知され、これに対して指定期間内の同年５月３０日付けで手続補正がされたものである。 
 　 
第２　本願の発明  
　本願の請求項１に係る発明（以下「本願発明」という。）は、上記の平成２９年５月３０日付けの手続補正に係る、特許請求の範囲の請求項１に記載された事項により特定される次のとおりのものである。
　「【請求項１】
　ホーゼルおよびフェースを含み、第１の基本元素を含む第１の材料から構築される本体部材であって、空洞のマッスルバックシェルを連結させた上記本体部材と、
　上記第１の基本元素と異なる第２の基本元素を含む第２の材料から構築され、当該第２の材料の比重は上記第１の材料の比重より大きい、質量部材と、
　上記本体部材と上記質量部材との間に介挿され、第３の材料から構築され、当該第３の材料は上記第２の材料の上記第２の基本元素の合金であるインターフェースとを有し、
　上記マッスルバックシェルはヒール領域およびトウ領域に開口穴を有し、
　上記質量部材および上記インターフェースとの組合体が上記マッスルバックシェルの開口穴に配置されて当該開口穴を閉止し、しかも上記マッスルバックシェルを空洞のままとし、
　上記インターフェースは上記質量部材に金属結合により結合され、かつ、上記本体部材に結合されることを特徴とするアイアン型ゴルフクラブヘッド。」
　
第３　引用文献、引用発明等
１．引用文献１について
　原査定の拒絶の理由に引用された、本願の優先日前に頒布された刊行物である引用文献１（米国特許出願公開第２０１０／０３１７４６１号明細書）には、図面と共に次の事項が記載されている。（なお、原文の後の括弧｛｝内に記載したものは、当審での訳文である。また、以下の下線は、いずれも審決で付した。なお、引用文献２以下の下線も同様である。）
　「【0032】Club  1  is illustrated in  FIG. 1  as a 
golf club
club head  11  comprises body  1200  and hosel  1300 
club head  11  is illustrated herein as an iron head
｛「【００３２】クラブ１は、図１に
ゴルフクラブ
クラブヘッド１１はボディ１２００とホーゼル１３００とを含む
クラブヘッド１１はアイアンヘッドとして描かれている
　「【0033】As shown in  FIGS. 1-2 , 
multi-density weight  1100  is configured to couple with body  1200  at receptacle  2210 .
｛「【００３３】図１、２に示されるように、
多様比重の錘１１００は、ボディ１２００と収容部２２１０において連結されるように構成される
　「【0034】
Multi-density weight  1100  comprises weight component  1110  and weight component  1120
weight component  1120  is secured along a cavity of the inner portion of weight component  1110
the density of weight component  1120  is greater than the density of weight component  1110 . In addition, the densities of weight components  1110  and/or  1120  can be greater than a density of body  1200
｛「【００３４】
多様比重の錘１１００は
重量部材１１１０及び重量部材１１２０を備え
重量部材１１２０は重量部材１１１０内側部のくぼみに固定される
　「【0036】In the present example, the materials of body  1200 , weight component  1110 , and weight component  1120  can differ from each other. For example, in some embodiments, 
body  1200  can comprise a metallic material or alloy such as stainless steel, carbon steel, or other types of steel
the material of body  1200  can comprise a density with a specific gravity of, for example, approximately 7.5 to approximately 8.5.
｛「本実施例では、ボディ１２００、重量部材１１１０、及び重量部材１１２０の素材は、互いに異なることができる。例えば、いくつかの態様において、
ボディ１２００は、ステンレス鋼、炭素鋼、あるいは他のタイプの鋼材のような金属材料または合金を含むことができる
ボディ１２００の素材の比重は、例えば約７．５から約８．５である
　「【0037】In the same or a different embodiment, 
weight component  1110  can comprise a material such as a metallic alloy comprising a tungsten alloy, a tungsten-nickel alloy
the material of weight component  1110  can comprise a density with a specific gravity of, for example, approximately 8 to approximately 11
weight component  1120  can comprise a heavier material, such as a tungsten material
 with a specific gravity of
approximately 14 to approximately 20
｛「【００３７】当該態様または他の態様において、
重量部材１１１０はタングステン合金、タングステン−ニッケル合金
のような合金材料を含み
重量部材１１１０の素材の比重は、例えば約８から約１１
重量部材１１２０の素材はタングステン材料
の合金のような、より重い材料を含む
約１４から約２０の比重を備える
　「【0040】As seen in  FIG. 2 , 
receptacle  2210  at body surface  1220
circumscribed by receptacle wall  2211
｛「【００４０】図２にみられるように、ボディ表面１２２０の収容部２２１０は、収容部壁２２１１に囲まれる収容ベース部２２２２を備えている。収容部壁２２１１はまた、収容ベース部２２２２の上方の凹みをも囲み、収容部２２１０の凹みは少なくとも部分的に、錘１１００と適合する形状とされ、また、収容部壁２２１１は多様比重の錘１１００の周囲１１１１を固定する形状とされている。」｝
　「【0041】In the present example, weight component  1110  comprises base  2114  and wall  2115  circumscribing inner portion  2113  over base  2114 . As seen in  FIGS. 2 and 4 , wall  2115  can comprise an inner wall of periphery  1112  of weight component  1110 . In addition, an outermost perimeter of periphery  1112  of weight component  1110  can comprise perimeter  1111  of multi-density weight  1100 . Furthermore, in the present example, bottom  4117  ( FIG. 4 ) of multi-density weight  1100  comprises a bottom of weight component  1110 , and is abutted against receptacle base  2222  when multi-density weight  1100  couples to receptacle  2210 .」
｛「本実施例では、重量部材１１１０は、ベース２１１４とベース２１１４の上方でベース２１１４を囲う壁２１１５とを備える。図２及び４にみられるように、壁２１１５は重量部材１１１０の内周縁１１１２を備える。加えて、重量部材１１１０の内周縁１１１２から最も離れた外周縁は多様比重の錘１１００の周縁１１１１を備えることができる。更に、本実施例では、多様比重の錘１１００の底部４１１７（図４）は重量部材１１１０の底部を備え、多様比重の錘１１００が収容部２２１０と連結するときに、収容部２２１０のベース２２２２と当接する。」｝
　「【0043】In the present and other examples, 
considering the weld-averse traits of weight component  1120 , a bonding mechanism comprising at least one of a swedged bond, an epoxy bond, a sintered bond, and/or a shrink-fit bond can be used to secure perimeter  1121  and/or bottom  4127  of weight component  1120  to inner portion  2113 , perimeter  1112 , and/or base  2114  of weight component  1110
perimeter  1111  of multi-density weight  1100  can be secured along receptacle wall  2211  via at least one of a weld bond, a brazed bond, or a compression ring
｛「【００４３】本実施例及び他の実施例において、
重量部材１１２０の溶接不適合性を考慮して、swedged接合、エポキシ接合、焼結接合、及びまたは収縮（焼嵌め）接合の少なくとも１つを含む接合メカニズムが、重量部材１１２０の周縁１１２１及びまたは底部４１２７を、重量部材１１１０の内部２１１３、内周縁１１１２、及びまたはベース２１１４に固定するのに使用される
多様比重の錘１１００の周縁１１１１は、溶接接合、ろう付け接合、圧縮リングの少なくとも１つで収容部壁２２１１に固定される
 　
　上記の記載事項を総合すると、引用文献１には、次の発明（以下、「引用発明」という。）が記載されていると認定できる。 
　「ゴルフクラブのクラブヘッド１１であって、
　クラブヘッド１１はアイアンヘッドであり、ボディ１２００とホーゼル１３００とを含み、
　多様比重の錘１１００が、ボディ１２００とボディ表面１２２０の収容部２２１０において連結されるように構成され、
　多様比重の錘１１００は重量部材１１１０及び重量部材１１２０を備え、重量部材１１２０は重量部材１１１０内側部のくぼみに固定され、
　ボディ１２００は、ステンレス鋼、炭素鋼、あるいは他のタイプの鋼材のような金属材料または合金を含むことができ、ボディ１２００の素材の比重は約７．５から約８．５であり、
　重量部材１１１０はタングステン合金、タングステン−ニッケル合金のような合金材料を含み、重量部材１１１０の素材の比重は約８から約１１であり、
　重量部材１１２０の素材はタングステン材料の合金のような、より重い材料を含み、重量部材１１１０の比重よりも大きな比重、例えば約１４から約２０の比重を備え、
　重量部材１１２０の溶接不適合性を考慮して、swedged接合、エポキシ接合、焼結接合、及びまたは収縮（焼嵌め）接合の少なくとも１つを含む接合メカニズムが、重量部材１１２０の周縁１１２１及びまたは底部４１２７を、重量部材１１１０の内部２１１３、内周縁１１１２、及びまたはベース２１１４に固定するのに使用され、
　多様比重の錘１１００の周縁１１１１は、溶接接合、ろう付け接合、圧縮リングの少なくとも１つで収容部２２１０の収容部壁２２１１に固定される
　クラブヘッド。」
　
２．引用文献２について 
　原査定の拒絶の理由に引用された引用文献２（特開平１０−１５１６９８号公報）には、図面と共に次の事項が記載されている。
　「【０００１】
【発明の属する技術分野】本発明は、
チタン等の
金属層と
ステンレス鋼等の母材金属層を一体に接合したクラッド材
このクラッド材を用いたゴルフクラブ用ヘッド
　「【００２２】
【発明の効果】以上において説明した本発明のクラッド材によれば、Ｔｉ等の活性な金属層を有していても、高い接合強度を有し、Ｔｉの表面酸化や焼け付きを抑えた優れた品質のクラッド材を提供することができる。また、このクラッド材をソールプレートに用いたゴルフクラブ用ヘッドは、例えばＴｉ製等のヘッドを低重心のものに容易に製造でき、且つ、プレイヤーも所望の飛距離と方向性の弾道となるショットを容易に得ることが可能となる。更に、本発明のクラッド材の製造方法によれば、Ｔｉ等の表面酸化や母材金属層との境界における化合物を抑制し又は無くした高い接合強度のクラッド材を、歩留まり良く、確実に、しかも所望の量だけ容易に製造することができる。」
　上記の記載事項を総合すると、引用文献２には、次の技術事項（以下、「引用文献２に記載された技術事項」という。）が記載されていると認定できる。 
　「チタン等の金属層とステンレス鋼等の母材金属層を一体に接合したクラッド材を用いてゴルフクラブ用ヘッドを製造する。」
　
３．引用文献３について 
　また、原査定の拒絶の理由に引用された引用文献３（特開平９−５６８５３号公報）には、図面と共に次の事項が記載されている。
　「【０００６】
【発明が解決しようとする課題】然し乍ら、図８に示す従来例にあっては、ヘッド本体１の外表面に金属層３を設けることは容易であるが、ヘッド本体１と金属層３との接合が十分とはいえず、長期に亘る使用によって金属層３がヘッド本体１から剥離してしまう虞があった。又、図９に示す従来例にあっては、爆発圧着法による異種金属相互の接合は強固なものとなるが、斯かる方法によれば厚み方向に異種金属が積層した薄い板材のクラッド板材を製造することが難しく、そのため、アイアンヘッドやパターヘッドの如き中実のゴルフクラブヘッドの製造には好適であるが、ウッドのような中空な外殻体からなるヘッド本体を製造することは難しかった。
【０００７】本発明は斯かる実情に鑑み案出されたもので、複数の異種金属を積層して中空なゴルフクラブヘッドを製造するに当たり、製造が容易で異種金属相互の接合が強固なゴルフクラブヘッドの製造方法を提供することを目的とする。
【０００８】
【課題を解決するための手段】斯かる目的を達成するため、請求項１に係るゴルフクラブヘッドの製造方法は、中空なヘッドの外殻体を構成する各構成部分を金属で成形した後、これらを接合して外殻体を形成する
ゴルフクラブヘッドの製造
圧延圧接によって厚み方向に異種金属が積層した薄板状のクラッド板材
当該クラッド板材を、外殻体を構成する構成部分の少なくとも一部に応じ加工した後、各構成部分を接合してヘッドの外殻体を形成
　上記の記載事項を総合すると、引用文献３には、次の技術事項（以下、「引用文献３に記載された技術事項」という。）が記載されていると認定できる。 
　「圧延圧接によって厚み方向に異種金属が積層した薄板状のクラッド板材を、外殻体を構成する構成部分の少なくとも一部に応じ加工した後、各構成部分を接合してヘッドの外殻体を形成してゴルフクラブヘッドを製造する。」
　
４．引用文献４について 
　また、原査定の拒絶の理由に引用された引用文献４（特開平１１−２０６９２９号公報）には、図面と共に次の事項が記載されている。
　「【０００１】
【発明の属する技術分野】この発明は、チタン等の低比重金属により本体が形成されるアイアンヘッドおよびその製造方法に関するものである。」
　「【０００９】
【第１実施例について】図１は、本発明の好適な第１実施例に係る
アイアンヘッド
ヘッド１０の本体１２は、低比重金属であるチタンを材料として形成され
ゴルフボールの打撃面となる所要角度のフェース１４とは反対の後面側に、所要寸法のキャビティ１６が凹設され
本体１２におけるキャビティ１６の形成位置とソール１８との間には、該本体１２を形成する金属であるチタンよりも比重の大きな高比重金属を材料として形成された錘２０が、本体表面に露出しないよう埋設されている
　上記の記載事項を総合すると、引用文献４には、次の技術事項（以下、「引用文献４に記載された技術事項」という。）が記載されていると認定できる。 
　「ヘッド１０の本体１２は、低比重金属であるチタンを材料として形成され、ゴルフボールの打撃面となる所要角度のフェース１４とは反対の後面側に、所要寸法のキャビティ１６が凹設され、本体１２におけるキャビティ１６の形成位置とソール１８との間には、該本体１２を形成する金属であるチタンよりも比重の大きな高比重金属を材料として形成された錘２０が、本体表面に露出しないよう埋設されているアイアンヘッド。」
　
５．引用文献５について 
　また、原査定の拒絶の理由に引用された引用文献５（登録実用新案第３１２０７６６号公報）には、図面と共に次の事項が記載されている。
　「【０００１】
  本考案は、ゴルフクラブヘッドと重りの結合構造に関するもので、特にヘッド本体の凹欠部と重りの結合面に対応するように少なくとも一個の溝道を形成し、溝道に充分な量の充填材を充填して硬ろう付けによる結合の信頼性を高めることができるゴルフクラブヘッドと重りの結合構造に係るものである。」
　「【００１６】
  図１、２、３、４ａ、４ｂを参照すると、本考案の実施例１のゴルフクラブヘッドと重りの結合構造が掲示され、実施例１のゴルフクラブヘッドと重りの結合構造にはヘッド本体１と重り２が含まれる。
ヘッド本体１はアイアン型ヘッド
凹欠部１０は好ましくはヘッド本体１のソール部
に形成され
凹欠部１０は重り２が嵌合して結合するのに用いられる
【００１７】
  再び図１、２、３、４ａ、４ｂを参照すると、本考案の実施例１においてヘッド本体１の凹欠部１０の内周壁と重り２との間には複数個の結合面が形成され、そして本考案においてもヘッド本体１の凹欠部１０の内周壁と重り２の形状に従って適量な結合面を形成することができる。さらに詳しく言えば、本考案の実施例１において
ヘッド本体１の凹欠部１０の内周壁には少なくとも一個の結合端面１０１（第一結合端面）と複数個の側結合面１０２（第一側結合面）が形成され
重り２には少なくとも一個の結合端面１０２（第二結合端面）と複数個の側結合面２０２（第二側結合面）が形成され
また、重り２には他に外表面２０３が形成され
　
　上記の記載事項を総合すると、引用文献５には、次の技術事項（以下、「引用文献５に記載された技術事項」という。）が記載されていると認定できる。 
　「ヘッド本体１のソール部に、重り２が嵌合して結合するのに用いられる凹欠部１０が設けられ、ヘッド本体１の凹欠部１０の内周壁には少なくとも一個の結合端面１０１（第一結合端面）と複数個の側結合面１０２（第一側結合面）が形成され、重り２には少なくとも一個の結合端面１０２（第二結合端面）と複数個の側結合面２０２（第二側結合面）が形成され、また、重り２には他に外表面２０３が形成される結合構造を備えるアイアン型ヘッド。」
　
６．引用文献６について 
　また、原査定の拒絶の理由に引用された引用文献６（特開２００５−３４４２８号公報）には、図面と共に次の事項が記載されている。
　「【００１９】
  図１を参照すると、本発明の実施例１の
ゴルフクラブヘッドにはヘッド本体５および重り６が含まれる
ヘッド本体５には収容室５１が設けられ、収容室５１は重り６を収容するのに用いられる
重り６には突出部６１が設けられ
重り６は
粉末冶金
の製造工程により製成する
　「【００２１】
  図２を参照すると、
重り６の突出部６１がヘッド本体５の収容室５１に収容された時、収容室５１と重り６の突出部６１の間には溝路ａが形成される
【００２２】
  図３、４を参照すると、ヘッド本体５の収容室５１と重り６の突出部６１の間に形成された
溝路ａに熔接材（充填材）７を充填し
熔接の製造工程を行うことにより、熔接材７を溝路ａに熔融させる
【００２３】
  図５、６を参照すると、
熔融されたヘッド本体５の一部分と熔接材７が冷却し凝固された時、ヘッド本体５と重り６の間の溝路ａにおいて熔接材７とヘッド本体５が一体になるように結合されると共に、係止部ｂが形成される
係止部ｂはヘッド本体５と重り６の間に緊密に接触し、そして隙間がないような結合面になるように形成されるため、重り６はヘッド本体５の収容室５１に緊密に結合されることができると共に、ヘッド本体５と重り６との間の係止強度を増やすことができる
　上記の記載事項を総合すると、引用文献６には、次の技術事項（以下、「引用文献６に記載された技術事項」という。）が記載されていると認定できる。 
　「ヘッド本体５には収容室５１が設けられて、収容室５１は重り６を収容するのに用いられ、重り６は粉末冶金の製造工程により製成すると共に、重り６には突出部６１が設けられ、重り６の突出部６１がヘッド本体５の収容室５１に収容された時、収容室５１と重り６の突出部６１の間には溝路ａが形成され、溝路ａに熔接材（充填材）７を充填し、熔接の製造工程を行うことにより、熔接材７を溝路ａに熔融させ、熔融されたヘッド本体５の一部分と熔接材７が冷却し凝固された時、ヘッド本体５と重り６の間の溝路ａにおいて熔接材７とヘッド本体５が一体になるように結合されると共に、係止部ｂが形成され、係止部ｂはヘッド本体５と重り６の間に緊密に接触し、そして隙間がないような結合面になるように形成されるため、重り６はヘッド本体５の収容室５１に緊密に結合されることができると共に、ヘッド本体５と重り６との間の係止強度を増やすことができるゴルフクラブヘッド。」
 　 
第４　対比・判断　
１．対比 
　本願発明と引用発明とを対比する。
　後者の「ゴルフクラブのクラブヘッド１１」は「アイアンヘッド」とされるところから、前者の「アイアン型ゴルフクラブヘッド」に相当し、ゴルフクラブのクラブヘッドである以上、当然「フェース」を備えているはずであるから、後者の「ボディ１２００とホーゼル１３００」は、前者の「（ホーゼルおよびフェースを含む）本体部材」に相当するものといえる。
　また、後者において「多様比重の錘１１００が、ボディ１２００とボディ表面１２２０の収容部２２１０において連結されるように構成され、」「多様比重の錘１１００は重量部材１１１０及び重量部材１１２０を備え、重量部材１１２０は重量部材１１１０内側部のくぼみに固定され、」としているところから、上記の「重量部材１１２０」が前者の「質量部材」に相当し、同様に、「重量部材１１１０」は「（上記本体部材と上記質量部材との間に介挿される）インターフェース」に相当するものといえる。
　そして、後者では「ボディ１２００は、ステンレス鋼、炭素鋼、あるいは他のタイプの鋼材のような金属材料または合金を含む」「ボディ１２００の素材の比重は約７．５から約８．５」としているが、ステンレス鋼や炭素鋼を構成する「鉄」を前者の「第１の基本元素」とみると、上記の「ステンレス鋼、炭素鋼、あるいは他のタイプの鋼材のような金属材料または合金」は、前者の「第１の基本元素を含む第１の材料」に相当するものといえる。また、後者において、「タングステン材料」を前者の「第２の基本元素」とみると、後者の「約１４から約２０の比重を備えるタングステン材料の素材を含む（重量部材１１２０）」は、前者の「第１の基本元素と異なる第２の基本元素を含む、第１の材料の比重より大きい比重を備える第２の材料から構築される（質量部材）」に相当し、同様に後者の「タングステン合金、タングステン−ニッケル合金を含む（重量部材１１１０）」は、「第２の材料の上記第２の基本元素の合金である第３の材料から構築される（インターフェース）」に、それぞれ相当するものといえる。
　
　したがって、両者は、  
　「ホーゼルおよびフェースを含み、第１の基本元素を含む第１の材料から構築される本体部材と、
　上記第１の基本元素と異なる第２の基本元素を含む第２の材料から構築され、当該第２の材料の比重は上記第１の材料の比重より大きい、質量部材と、
　上記本体部材と上記質量部材との間に介挿され、第３の材料から構築され、当該第３の材料は上記第２の材料の上記第２の基本元素の合金であるインターフェースとを有する、
　アイアン型ゴルフクラブヘッド。」  
　の点で一致し、以下の点で相違している。
 　 
　［相違点１］ 本願発明は、本体部材に「空洞のマッスルバックシェルを連結させた」ものであり、「上記マッスルバックシェルはヒール領域およびトウ領域に開口穴を有し、」「上記質量部材および上記インターフェースとの組合体が上記マッスルバックシェルの開口穴に配置されて当該開口穴を閉止し、しかも上記マッスルバックシェルを空洞のままとし、」というのに対し、引用発明では、「マッスルバックシェル」を備えていない点。
　［相違点２］本願発明では、「インターフェースは質量部材に金属結合により結合され、かつ、本体部材に結合される」のに対し、引用発明では、重量部材１１１０（インターフェース）と、重量部材１１２０（質量部材）及びボディ１２００（本体部材）とが、金属結合により結合されるか否かが明確ではない点。
 　 
２．相違点についての判断 
　上記の相違点１について検討すると、引用文献２ないし６にもマッスルバックシェルに関して示されておらず、原査定で引用された引用文献２ないし６に記載された技術事項には、上記相違点１に係る本願発明の発明特定事項を開示、あるいは示唆するものが存在しない。
　また、上記相違点に係る本願発明１の発明特定事項が、当業者にとって通常の設計事項であるとする根拠もない。
　また、仮にマッスルバックシェルを備える空洞アイアン型ゴルフクラブは、本願の優先日前に既に周知の技術事項であるとしても、上記相違点１に係る本願発明の「マッスルバックシェルはヒール領域およびトウ領域に開口穴を有し、」「上記質量部材および上記インターフェースとの組合体が上記マッスルバックシェルの開口穴に配置されて当該開口穴を閉止し、しかも上記マッスルバックシェルを空洞のままとし、」という発明特定事項までは周知の技術事項ということはできない。
　そして、本願発明は上記相違点１に係る発明特定事項を備えることによって、「ゴルフクラブの慣性モーメントおよび重心位置を最適化する能力を増強させる」という、独自の作用効果を奏するものと認められる（段落【０００８】参照。）。
　したがって、本願発明は、引用発明、及び引用文献２ないし６に記載された技術事項に基づいて、当業者が容易に発明をすることができたものとはいえない。
 　 
第５　原査定の概要及び原査定についての判断
　原査定に係る拒絶理由の概要は、原査定時における請求項１、２に係る発明は、上記引用文献１ないし６に記載された発明に基いて、当業者が容易に発明をすることができたものであるから、特許法第２９条第２項の規定により特許を受けることができないというものである。
　しかし、平成２９年５月３０日付けの手続補正に係る本願発明は、上記のとおり、引用発明、及び引用文献２ないし６に記載された技術事項に基づいて、当業者が容易に発明をすることができたものとはいえない。
　したがって、原査定を維持することはできない。
　
第６　当審拒絶理由について
１．当審で通知した拒絶理由の概要 
 　当審では、平成２９年２月２８日付けで拒絶理由を通知したが、その概要は次のとおりである。 
　「本願は、特許請求の範囲の記載が下記の点で不備のため、特許法第３６条第６項第１号及び第２号に規定する要件を満たしていない。
 　　
 　　　　　　　　　　　　　　　記
　１．請求項１には、「空洞のマッスルバックシェルを含む上記本体部材」という記載があり、「本体部材」は「マッスルバックシェル」を含むものとされている。 
 　しかし、発明の詳細な説明の段落【００１６】では、「ゴルフクラブヘッド１０は、クラブヘッド本体部材１２、マッスルバックシェル１４、およぶ複数の多材料ウエイト部材１６を有する。」と記載され、同じく【００２２】では、「マッスルバックシェル１４は、本体部材１２に結合する、薄い金属部材である。具体的には、マッスルバックシェル１４はヒール４４、トウ４６、およびソール４８を含み、これらは本体部材１２に結合される。マッスルバックシェル１４は、本体部材１２の下方部分および周囲ウエイト部分１９の中央レール２７に結合される。」と記載されて、「本体部材１２」と「マッスルバックシェル１４」とは別体のものとして説明されている。 
 　してみれば、「本体部材」が「マッスルバックシェル」を含むとされる請求項１の発明は、発明の詳細な説明に記載されている発明とはいえない。 
 　 
　２．請求項１には、「基本エレメント」という記載があるが、これがどのようなものを意味するのかが不明であるし、「第１の材料に含まれる基本エレメント」と「第２の材料に含まれる基本エレメント」との異同関係も不明である。 
 　したがって、請求項１の「基本エレメントを含む第１の材料」、「基本エレメントを含む第２の材料」、「上記第２の材料の基本エレメントの合金」という記載はいずれも意味が不明であり、請求項１に係る発明は明確ではない。 
　
２．当審拒絶理由についての検討 
　上記の指摘に対して、平成２９年５月３０日付け手続補正書によって、次のとおりの補正がなされた。
（１）上記補正前の請求項１における「空洞のマッスルバックシェルを含む上記本体部材」という記載は、「空洞のマッスルバックシェルを連結させた上記本体部材」という記載に補正された。
（２）上記補正前の請求項１における「基本エレメントを含む第１の材料」という記載は、「第１の基本元素を含む第１の材料」という記載に、同じく「基本エレメントを含む第２の材料」という記載は、「上記第１の基本元素と異なる第２の基本元素を含む第２の材料」という記載に、同じく「基本エレメントの合金」という記載は、「上記第２の基本元素の合金」という記載に、それぞれ補正された。
　
　上記のとおり、平成２９年５月３０日付けの手続補正がなされた結果、上記の拒絶理由は全て解消した。
 　 
第７　むすび 
　以上のとおり、原査定の理由によって、本願を拒絶することはできない。　また、他に本願を拒絶すべき理由を発見しない。
 　 
　よって、結論のとおり審決する。